(57)【要約】【課題】簡易な構成でありながら破損の生じ難い滑り支承構造及びこれを備えた建物を提供すること。【解決手段】支持構造物と、この支持構造物から間隔をおいて構築される被支持構造物とにわたって設けられる滑り支承構造であって、前記支持構造物又は被支持構造物の一方に、入口側の隙間１より奥側の隙間２の幅が広い空間を形成する空間形成部３を設け、他方に、前記奥側の隙間２内をその幅と直交する奥行方向に摺動する摺動部４と、この摺動部４に繋がり、前記入口側の隙間１を内外に貫通する貫通部５とを有するアーム６を設け、前記摺動部４の幅Ｗ４を前記入口側の隙間１の幅Ｗ１より広くしてある。【選択図】図１
2018193737.tif 000002
【特許請求の範囲】
【請求項１】
支持構造物と、この支持構造物から間隔をおいて構築される被支持構造物とにわたって設けられる滑り支承構造であって、
前記支持構造物又は被支持構造物の一方に、入口側の隙間より奥側の隙間の幅が広い空間を形成する空間形成部を設け、
他方に、前記奥側の隙間内をその幅と直交する奥行方向に摺動する摺動部と、この摺動部に繋がり、前記入口側の隙間を内外に貫通する貫通部とを有するアームを設け、
前記摺動部の幅を前記入口側の隙間の幅より広くしてあることを特徴とする滑り支承構造。
【請求項２】
前記空間形成部は、ストッパー取付面部と、該ストッパー取付面部に取り付けられるストッパーとによって構成され、
前記ストッパーは、前記ストッパー取付面部に接触するスペーサー部と、前記ストッパー取付面部から離間した本体部とを有し、
前記本体部と前記ストッパー取付面部との間に前記奥側の隙間を形成してある請求項１に記載の滑り支承構造。
【請求項３】
請求項１または２に記載の滑り支承構造を備えた建物。
【発明の詳細な説明】
【技術分野】
【０００１】
本発明は、例えば、二つの構造物の相対変位を許容する方向と許容しない方向とが存在する場合の当該二つの構造物の連結に用いて好適な滑り支承構造及びこれを備えた建物に関する。
【背景技術】
【０００２】
従来、地震、台風等により振動する構造物の振動抑制を目的として、滑り支承を用いた免震装置が採用されている。
【先行技術文献】
【特許文献】
【０００３】
【特許文献１】特許第３５５１９９７号公報
【発明の概要】
【発明が解決しようとする課題】
【０００４】
しかし、従来の滑り支承では、浮き上がり力に対する拘束力が不十分な場合があり、拘束力の限界を超える荷重が掛かると、図５（Ａ）に示す状態にある滑り面５１，５２が同図（Ｂ）に示すように一旦離隔した後、同図（Ａ）に示す状態に戻る際に両者５１，５２が衝突し、免震装置が破損する恐れがある。
【０００５】
そこで、特許文献１に示すような浮き上がり防止装置を用いることも考えられるが、斯かる防止装置は大掛かりで構造が複雑であるといった欠点がある。
【０００６】
本発明は上述の事柄に留意してなされたもので、その目的は、簡易な構成でありながら破損の生じ難い滑り支承構造及びこれを備えた建物を提供することにある。
【課題を解決するための手段】
【０００７】
上記目的を達成するために、本発明に係る滑り支承構造は、支持構造物と、この支持構造物から間隔をおいて構築される被支持構造物とにわたって設けられる滑り支承構造であって、前記支持構造物又は被支持構造物の一方に、入口側の隙間より奥側の隙間の幅が広い空間を形成する空間形成部を設け、他方に、前記奥側の隙間内をその幅と直交する奥行方向に摺動する摺動部と、この摺動部に繋がり、前記入口側の隙間を内外に貫通する貫通部とを有するアームを設け、前記摺動部の幅を前記入口側の隙間の幅より広くしてある（請求項１）。
【０００８】
上記滑り支承構造において、前記空間形成部は、ストッパー取付面部と、該ストッパー取付面部に取り付けられるストッパーとによって構成され、前記ストッパーは、前記ストッパー取付面部に接触するスペーサー部と、前記ストッパー取付面部から離間した本体部とを有し、前記本体部と前記ストッパー取付面部との間に前記奥側の隙間を形成してもよい（請求項２）。
【０００９】
一方、上記目的を達成するために、本発明に係る建物は、上記滑り支承構造を備えた（請求項３）。
【発明の効果】
【００１０】
本願発明では、簡易な構成でありながら破損の生じ難い滑り支承構造及びこれを備えた建物が得られる。
【００１１】
すなわち、本願の各請求項に係る発明の滑り支承構造では、空間形成部の奥側の隙間に対してアームの摺動部の係合させるという簡易な構成により、空間形成部とアームの離隔、さらには離隔後の衝突による破損を防止することができる。
【００１２】
請求項２に係る発明の滑り支承構造では、ストッパーの構成を適宜に変更することにより、空間形成部の奥側の隙間に対する摺動部の離隔を防止するための適切な支持力と、所望の可動範囲とに応じた機構を容易に構築することが可能となる。
【図面の簡単な説明】
【００１３】
【図１】（Ａ）は、本発明の一実施の形態に係る滑り支承構造の構成を概略的に示す縦断面図、（Ｂ）は（Ａ）のａ―ａ矢視図である。
【図２】（Ａ）及び（Ｂ）は、前記滑り支承構造を備えた建物の一例の要部構成を概略的に示す縦断面図及び横断面図である。
【図３】（Ａ）は、上記建物の要部構成を概略的に示す縦断面図、（Ｂ）は（Ａ）のイ線切断断面図である。
【図４】（Ａ）は上記滑り支承構造の模式図、（Ｂ）〜（Ｄ）は上記滑り支承構造の変形例をそれぞれ示す模式図である。
【図５】（Ａ）及び（Ｂ）は、従来の滑り支承の挙動を概略的に示す説明図である。
【発明を実施するための形態】
【００１４】
本発明の実施の形態について図面を参照しながら以下に説明する。
【００１５】
図１（Ａ）及び（Ｂ）に示す滑り支承構造は、支持構造物と、この支持構造物から間隔をおいて構築される被支持構造物とにわたって設けられるものであり、支持構造物又は被支持構造物の一方に、入口側の隙間１より奥側の隙間２の幅が広い空間を形成する空間形成部３が設けられ、他方に、奥側の隙間２内をその幅（Ｘ方向）と直交する奥行方向（Ｙ方向）に摺動する摺動部４と、この摺動部４に繋がり、入口側の隙間１を内外に貫通する貫通部５とを有するアーム６が設けられていて、摺動部４の幅（Ｘ方向の幅）Ｗ４は入口側の隙間１の幅（Ｘ方向の幅）Ｗ１より広くなっている。
【００１６】
このような構成からなる滑り支承構造では、空間形成部３に対するアーム６のＺ方向への移動は制限され、Ｙ方向への移動は許容される。そのため、空間形成部３、アーム６の一方を支持構造物に一体化（連結等）し、他方を被支持構造物に一体化（連結等）することにより、支持構造物に対する被支持構造物のＺ方向への移動を制限しつつ、Ｙ方向への移動を許容することができる。
【００１７】
なお、空間形成部３に対するアーム６のＸ方向への移動（支持構造物に対する被支持構造物のＸ方向への移動）をどの程度制限し、許容するかは、入口側の隙間１の幅（Ｘ方向の幅）Ｗ１と貫通部５の幅（Ｘ方向の幅）Ｗ５との寸法関係、奥側の隙間２の幅（Ｘ方向の幅）Ｗ２と摺動部４の幅（Ｘ方向の幅）Ｗ４との寸法関係を適宜に調整することによって決定することができる。
【００１８】
ここで、上記滑り支承構造の具体的な構成について説明すると、空間形成部３は、ストッパー取付面部７と、ストッパー取付面部７に取り付けられるストッパー８とによって構成され、ストッパー８は、ストッパー取付面部７に接触するスペーサー部９と、ストッパー取付面部７から離間した本体部１０とを有し、本体部１０とストッパー取付面部７との間に奥側の隙間２を形成してある。
【００１９】
スペーサー部９は板状又はブロック状の金属製部材からなり、本体部１０は複数の鋼板（金属製板）を接合して構成してある。そして、ストッパー８は複数本のアンカーボルト１１によってストッパー取付面部７に取り付けられている。
【００２０】
本例では、本体部１０を、基部板１０ａと、この基部板１０ａと平行な先部板１０ｂと、両板１０ａ、１０ｂを繋ぐ連結板１０ｃと、連結板１０ｃの表裏両側において基部板１０ａから先部板１０ｂにまで延びる複数のリブ板１０ｄとを接合して構成してあり、図１（Ｂ）に示すように、先部板１０ｂを基部板１０ａよりも幅狭とし、リブ板１０ｄも先部板１０ｂ側ほど幅狭とすることにより、構成のコンパクト化を図っている。
【００２１】
一方、アーム６を構成する摺動部４及び貫通部５は、それぞれ金属板からなり、接合されて一体化されている。
【００２２】
また、本実施形態では、摺動部４が奥側の隙間２に単に係合するのみならず、空間形成部３において奥側の隙間２を形成する壁面と、摺動部４の外面とに、各々滑り支承板１２を設け、摺動部４は常時（静止時及び摺動時）、滑り支承板１２を介して奥側の隙間２を形成する壁面と接触するようにしてある。これにより、従来の滑り支承の滑り面５１，５２のような離隔やその後の衝突による破損をより確実に防止し、良好な滑り面を維持することができる。なお、滑り支承板１２を、奥側の隙間２を形成する壁面又は摺動部４の外面の何れか一方のみに設けるようにしてもよい。
【００２３】
上記構成からなる滑り支承構造では、ストッパー８の構成（断面形状等）、アンカーボルト１１の構成（本数等）を変更（調整）することにより、空間形成部３の奥側の隙間２に対する摺動部４の離隔を防止するための適切な支持力と、所望の可動範囲とに応じた機構を容易に構築することが可能となる。
【００２４】
図２（Ａ）及び（Ｂ）に、上記滑り支承構造を備えた建物の一例を示す。この例では、支持構造物が建物本体１３であり、被支持構造物が外壁１４であり、滑り支承構造Ｓは平面視における建物本体１３のコーナー部を避けた位置に設けられ、建物本体１３と外壁１４とを連結している。なお、図２（Ａ）に示す例では、外壁１４を、上、中、下の３ブロック１４Ａ，１４Ｂ，１４Ｃに分けてあり、上ブロック１４Ａはその上部が建物本体１３に固定され、下ブロック１４Ｃは基礎で支持され、中ブロック１４Ｂはその上部が建物本体１３に固定されている。そして、中ブロック１４Ｂの下部と建物本体１３との連結に滑り支承構造Ｓが用いられている。
【００２５】
図２（Ａ）及び（Ｂ）に示す滑り支承構造Ｓの詳細を図３（Ａ）及び（Ｂ）に示す。図３（Ａ）及び（Ｂ）に示すように、アーム６の貫通部５は、建物本体１３を構成する梁１５に接合（例えば溶接）されている一方、空間形成部３のストッパー８は、外壁１４を構成する柱１６に取り付けられている。つまり、柱１６の一部がストッパー取付面部７となっている。なお、図３（Ａ）及び（Ｂ）に示す滑り支承構造Ｓの詳細は、図１（Ａ）及び（Ｂ）に示す滑り支承構造と同様であり、重複を避けるため、説明は省略する。
【００２６】
図２（Ａ）及び（Ｂ）に示す建物では、滑り支承構造Ｓを建物本体１３のコーナー部を避けた位置に設けてあるので、地震や台風等の外力を受けた際に特に変位量が大きくなるコーナー部における変形（図２（Ｂ）参照）が阻害され難く、建物の耐久性の向上を図ることができる。
【００２７】
なお、本発明は、上記の実施の形態に何ら限定されず、本発明の要旨を逸脱しない範囲において種々に変形して実施し得ることは勿論である。例えば、以下のような変形例を挙げることができる。
【００２８】
図１（Ａ）及び（Ｂ）に示す滑り支承構造は、相互に離間した一対（二つ）のストッパー８を一組として有し、スペーサー部９どうしの間隔（奥側の隙間２の幅Ｗ２に相当）よりも本体部１０どうしの間隔（入口側の隙間１の幅Ｗ１に相当）の方が小さくなるようにしてあり、模式的には図４（Ａ）のように示すことができる。そして、本発明の滑り支承構造を、例えば図４（Ｂ）〜（Ｄ）のように構成することも考えられる。
【００２９】
すなわち、図４（Ｂ）に示す滑り支承構造は、二つのストッパー８を有さず、一つのストッパー１７のみを有し、このストッパー１７は、図４（Ａ）に示す二つのストッパー８の本体部１０どうしを一体化し、その一体化した部分にスリット（貫通孔）１８を設け、このスリット１８にアーム６の貫通部５を通すようにしたものである。
【００３０】
図４（Ｃ）に示す滑り支承構造は、千鳥状に配置された三つのストッパー８を一組として有し、アーム６の摺動部４は三つのストッパー８にわたって摺動するように構成されている。
【００３１】
図４（Ｄ）に示す滑り支承構造は、二対（計四つ）のストッパー８を一組として有し、アーム６の摺動部４は二対のストッパー８にわたって摺動するように構成されている。
【００３２】
図４（Ａ）、（Ｃ）、（Ｄ）に示す滑り支承構造では、それぞれ一組のストッパー８に一つのアーム６の摺動部４のみを対応させているが、これに限らず、例えば一組のストッパー８に二つのアーム６の摺動部４を対応（摺動）させてもよい。
【００３３】
図２（Ａ）に示す例では、外壁１４を上、中、下の３ブロックに分けてあるが、中ブロック１４Ｂが複数になるように外壁１４を分けてもよく、この場合、各中ブロック１４Ｂに滑り支承構造Ｓを設けることが考えられる。また、上ブロック１４Ａ，下ブロック１４Ｃに滑り支承構造Ｓを設けるようにしてもよい。
【００３４】
また、図２（Ａ）及び（Ｂ）に示す外壁１４は、既存、新築何れでもよく、既存外壁である場合は、例えば柱１６は既存外壁を構成する既存柱でもよいし、既存外壁を補強するために新築した補強柱でもよい。
【００３５】
図２（Ａ）及び（Ｂ）に示す建物は、本発明の滑り支承構造を適用した一例に過ぎず、本発明の滑り支承構造は、二つの構造物の連結に際して、相互に直交する２方向のうちの一方向への相対変位（移動）は制限（固定）し、他方向への相対変位（移動）は許容するスライド機構として汎用的に使用可能であり、例えば地盤沈下建物で内壁を止めるときに鉛直方向への移動を許容し、水平方向へは動かないようにする、といった用途への適用も可能である。
【００３６】
なお、上記変形例どうしを適宜組み合わせてもよいことはいうまでもない。
【符号の説明】
【００３７】
１    入口側の隙間
２    奥側の隙間
３    空間形成部
４    摺動部
５    貫通部
６    アーム
７    ストッパー取付面部
８    ストッパー
９    スペーサー部
１０    本体部
１０ａ  基部板
１０ｂ  先部板
１０ｃ  連結板
１０ｄ  リブ板
１１    アンカーボルト
１２    滑り支承板
１３    建物本体（支持構造物）
１４    外壁（被支持構造物）
１４Ａ  上ブロック
１４Ｂ  中ブロック
１４Ｃ  下ブロック
１５    梁
１６    柱
１７    ストッパー
１８    スリット
５１    滑り面
５２    滑り面
Ｓ    滑り支承構造
Ｗ１    入口側の隙間の幅
Ｗ２    奥側の隙間の幅
Ｗ４    摺動部の幅
Ｗ５    貫通部の幅
【図１】
2018193737.tif 000003
【図２】
2018193737.tif 000004
【図３】
2018193737.tif 000005
【図４】
2018193737.tif 000006
【図５】
2018193737.tif 000007